【事件の表示】
　特願２０１５−１３９１４２「装置及びプログラム」拒絶査定不服審判事件〔平成２９年　１月２６日出願公開、特開２０１７−　２１６０１〕について、次のとおり審決する。
【結　論】
　本件審判の請求は、成り立たない。
【理　由】
１　手続の経緯
　本願は、平成２７年７月１０日の出願であって、その手続の経緯は以下のとおりである。
平成３１年　２月１２日付け：拒絶理由通知書
平成３１年　４月１６日　　：意見書、手続補正書の提出
令和　元年　７月１０日付け：拒絶査定（以下、「原査定」という。）
令和　元年１０月１５日　　：審判請求書、手続補正書の提出
令和　２年　９月　８日付け：拒絶理由通知書
令和　２年１１月１３日　　：意見書、手続補正書の提出
２　本願発明
　本願の請求項に係る発明は、令和２年１１月１３日になされた手続補正により補正された特許請求の範囲の請求項１ないし５に記載された事項により特定されるものと認められるところ、その請求項１に係る発明（以下、請求項１に係る発明を「本願発明」という。）は、以下のとおりのものである。
「【請求項１】
　当該装置を装着する対象となる表示画面を備えた機器の意匠を異ならせるための意匠が施される部材と、
　所定の情報を前記機器に対して出力する出力手段と、を備え、
　前記所定の情報を使用して前記機器が行なう報知の出力内容と、当該装置が前記機器に装着された状態の前記機器の意匠とを知覚したユーザが、該報知の出力内容及び該意匠に統一感を覚えるように、前記部材と前記所定の情報とを組み合わせて構成した装置であって、
　当該装置を装着する対象となる表示画面を備えた機器の意匠を異ならせるための意匠が施される部材は、前記意匠が施される面とは反対側の面を含む前記機器と向き合う筐体の複数の面からなる内周の形状を、前記機器の筐体の複数の面からなる外周の形状と同じ形状で僅かに大きなサイズとし、当該部材を当該機器に取り付けると、当該部材の当該機器に取り付ける面の筐体の内周と当該機器の筐体の外周が嵌合し、当該部材が振動により外れることを防止する構成としたこと
を特徴とする装置。」
３　拒絶の理由
　令和２年９月８日付けの当審が通知した拒絶理由の理由は、概略、次のとおりのものである。
　本願の請求項１−５に係る発明は、本願の出願日前に日本国内又は外国において、頒布された又は電気通信回線を通じて公衆に利用可能となった以下の引用文献１−２に記載された発明に基いて、その出願日前にその発明の属する技術の分野における通常の知識を有する者が容易に発明をすることができたものであるから、特許法第２９条第２項の規定により特許を受けることができない、というものである。
　引用文献１：特開２００８−４８０７１号公報 
　引用文献２：特開２００２−３６５７７３号公報
４　引用文献の記載及び引用発明
（１）　引用文献１の記載
　引用文献１には、図面とともに以下の記載がある（下線は、特に着目した箇所を示す。以下同様。）。
ア　「【００１０】
　図１は、本発明の実施の形態にかかわる携帯端末装置および携帯端末外装カバーの外観構造を説明するための図である。 図１において、
携帯端末装置本体１は折り畳み式筐体で構成され、
ベース筐体１０と、
サブＬＣＤが実装されるディスプレイ筐体２０とがヒンジ機構３０を介して回転自在に結合されている。
サブＬＣＤ４０がディスプレイ筐体２０の表面（メインＬＣＤは裏面）に示されており、
ディスプレイ筐体２０の上部に、スイッチとして動作する電極検出端子５０が実装されている。
【００１１】
　一方、
外装カバー７０は、表面に
著名なキャラクタの絵
が印刷されており、この外装カバー７０を、携帯端末本体１のディスプレイ筐体２０内の周縁部に設けられたスライド溝６０に嵌め込み、矢印方向にスライドさせることで、携帯端末本体１の外観を覆う構造になっている。
この外装カバー７０を逆方向にスライドさせることで着脱自在に形成されるものと
なお、外装カバー７０は、外装カバー７０の周縁部に形成されるラッチをディスプレイ筐体２０の対向する位置に設けられた溝に嵌め合わせることによりワンタッチで着脱自在とする
、あるいは螺子等により四隅を固定するタイプのものであってもよ
【００１２】
　また、
外装カバー７０の上部裏面には、
外装カバー７０が携帯端末本体１のディスプレイ筐体２０に装着されたときに、ディスプレイ筐体２０に取り付けられた電極検出端子５０と対向する位置に、１以上の端子電極８０が実装配置されて
外装カバー７０を携帯端末本体１のディスプレイ筐体２０に装着したときに、ディスプレイ筐体２０の表面に実装されたサブＬＣＤ４０の表示内容がサブＬＣＤ窓９０を通して視認できるようになって
【００１３】
　図２は、本発明の実施の形態にかかわる
携帯端末装置の内部構成
は、主制御部１１と、装着検知部１２と、メインＬＣＤ／サブＬＣＤ１３と、スピーカ１４とにより構成される。
【００１４】
　図２において、主制御部１１は、外装カバー７０の装着を検知し、装着された外装カバー７０に対応した表示情報もしくは音声情報を取得して出力する制御手段として動作する。主制御部１１は、ハードウェア的にはマイコンおよびメモリを含む周辺デバイスで構成される。詳細は後述する。
 装着検知部１２は、外装カバー７０が装着、あるいは交換されたことを検知する機能を有し、ここでは更に、外装カバー７０に取り付けられた端子電極８０が示す情報、すなわち、外装カバー７０が持つ固有の情報（以下、属性という）を検知する
イ　「【００１７】
　
上記した主制御部１１は、属性判定部１１１と、属性テーブル検索部１１２と、メディア情報取得部１１３と、メディア情報再生部１１４と、サ
により構成される
【００１８】
　
属性判定部１１１は、装着検知部１２により起動され、装着検知部１２により出力される端子電極８０の数に応じて割当てられた“Ｈｉｇｈ”“Ｌｏｗ”の組み合わせから外装カバー７０の属性を判定し、属性テーブル検索部１１２を起動する。
属性テーブル検索部１１２は、
対応するメディア情報（画像もしくは音声）のアドレスを得てメディア情報取得部１１３へ出力する。メディア情報取得部１１３は、
対応するメディア情報を取得してメディア情報再生部１１４へ引き渡し、メディア情報再生部１１４による、
サブＬＣＤ４０
の再生制御を起動する。
ウ　「【００２９】
　上記した本発明の実施の形態によれば、
外装カバー７０の装着あるいは交換に連動して、外装カバー７０に印刷された、例えば、著名なキャラクタに合致した待受け画像を表示し、
【００３０】
　なお、上記した本発明の実施の形態によれば、外装カバー７０の装着あるいは交換に連動して待受け画像のみ交換する例のみ示したが、他に、メニュー、ピクト（バッテリ残量、アンテナ感度、時計）、壁紙、あるいは、着信音や音楽等の音声メディアであっても良い。
このことにより、
待ち受け画像と着信音を外装カバー７０に印刷された著名なキャラクタ関連のもので統一する
（２）　引用発明
　したがって、引用文献１には、次の発明（以下「引用発明」という。）が記載されていると認められる。
「携帯端末装置本体１は折り畳み式筐体で構成され、ベース筐体１０と、サブＬＣＤが実装されるディスプレイ筐体２０とがヒンジ機構３０を介して回転自在に結合されており、サブＬＣＤ４０がディスプレイ筐体２０の表面（メインＬＣＤは裏面）に示されており、ディスプレイ筐体２０の上部に、スイッチとして動作する電極検出端子５０が実装されており、
　外装カバー７０は、表面に著名なキャラクタの絵が印刷されており、この外装カバー７０を、携帯端末本体１のディスプレイ筐体２０内の周縁部に設けられたスライド溝６０に嵌め込み、矢印方向にスライドさせることで、携帯端末本体１の外観を覆う構造になっており、この外装カバー７０を逆方向にスライドさせることで着脱自在に形成されるものとし、
　なお、外装カバー７０は、外装カバー７０の周縁部に形成されるラッチをディスプレイ筐体２０の対向する位置に設けられた溝に嵌め合わせることによりワンタッチで着脱自在とする、あるいは螺子等により四隅を固定するタイプのものであってもよく、
　外装カバー７０の上部裏面には、外装カバー７０が携帯端末本体１のディスプレイ筐体２０に装着されたときに、ディスプレイ筐体２０に取り付けられた電極検出端子５０と対向する位置に、１以上の端子電極８０が実装配置され、
　外装カバー７０を携帯端末本体１のディスプレイ筐体２０に装着したときに、ディスプレイ筐体２０の表面に実装されたサブＬＣＤ４０の表示内容がサブＬＣＤ窓９０を通して視認できるようになっており、
　携帯端末装置の内部構成は、主制御部１１と、装着検知部１２と、メインＬＣＤ／サブＬＣＤ１３と、スピーカ１４とにより構成され、
　装着検知部１２は、外装カバー７０が装着、あるいは交換されたことを検知する機能を有し、ここでは更に、外装カバー７０に取り付けられた端子電極８０が示す情報、すなわち、外装カバー７０が持つ固有の情報（以下、属性という）を検知し、
　上記した主制御部１１は、属性判定部１１１と、属性テーブル検索部１１２と、メディア情報取得部１１３と、メディア情報再生部１１４と、により構成され、
　属性判定部１１１は、装着検知部１２により起動され、装着検知部１２により出力される端子電極８０の数に応じて割当てられた“Ｈｉｇｈ”“Ｌｏｗ”の組み合わせから外装カバー７０の属性を判定し、属性テーブル検索部１１２を起動し、属性テーブル検索部１１２は、対応するメディア情報（画像もしくは音声）のアドレスを得てメディア情報取得部１１３へ出力し、メディア情報取得部１１３は、対応するメディア情報を取得してメディア情報再生部１１４へ引き渡し、メディア情報再生部１１４によるサブＬＣＤ４０の再生制御を起動し、
　外装カバー７０の装着あるいは交換に連動して、外装カバー７０に印刷された、例えば、著名なキャラクタに合致した待受け画像を表示し、このことにより、待ち受け画像と着信音を外装カバー７０に印刷された著名なキャラクタ関連のもので統一する、携帯端末装置本体１及び外装カバー７０。」
（３）　周知文献Ａの記載
　平成３１年２月１２日付け拒絶理由通知において、「先行技術文献」の一つとして提示された２件の文献のうち、米国特許出願公開第２０１３／０２４４７２７号明細書（以下、「周知文献Ａ」という。）には、以下の記載がある（下線は当審で追加。訳は当審抄訳。）。
ア　段落［００２２］
「[0022]
　　　・・・（中略）・・・
Furthermore, the back cover 110 can be assembled to the body 120 by way of fastening, jointing, and or locking. With reference to FIG. 1B, the back cover 110 comprises the integrated circuit (IC) element 111 and the first connection interface 112.」
（訳：
［００２２］
　　　・・・（中略）・・・
　さらに、
背面カバー１１０は、固定（fastening）、接合（jointing）、及び/又は、連結（locking）を介して、本体１２０に取り付けられる
イ　段落［００２４］
「[0024]
　　　・・・（中略）・・・
When different back cover is assembled to the body 120, the mobile communication device may enable the corresponding function.」
（訳：
［００２４］
　　　・・・（中略）・・・
別の背面カバーが本体１２０に取付けられると、移動通信装置は、対応する機能が有効化される
ウ　段落［００２５］
「[0025]
The identification information 113 recorded by the IC element 111 can be transmitted to the body 120 by the first connection interface 112. 
　　　・・・（中略）・・・
Alternatively, the identification information 113 may be transmitted by the transmission protocols such as General Purpose I/O (GPIO), Universal Asynchronous Receiver/Transmitter (UART), Secure Digital Input/output (SDIO), or Universal Serial Bus (USB).」
（訳：
［００２５］
ＩＣ素子１１１に記録された
識別情報１１３は、第１の接続インターフェース１１２によって、本体１２０に送信することができる
　　　・・・（中略）・・・
あるいは、識別情報１１３は、例えば、汎用Ｉ／Ｏ（ＧＰＩＯ）、汎用非同期送受信回路（ＵＡＲＴ）、セキュアデジタル入／出力（ＳＤＩＯ）、または、
ユニバーサル・シリアル・バス（ＵＳＢ）などの伝送プロトコルによって、送信することができる
 
エ　段落［００２６］
「[0026]
The body 120 at least comprises the processing unit 121, the storage unit 122, the display unit 123, and the second connection interface 124.
　　　・・・（後略）・・・　」
（訳：
［００２６］
本体１２０は、
処理部１２１、
及び、第２の接続インタフェース１２４を含む。
オ　段落［００３０］
「[0030]
The position of the second connection interface 124 is set corresponding to the position of the first connection interface 112. When the back cover 110 is assembled to the body 120, the first connection interface 112 can contact with the second connection interface 124. The type of the second connection interface is the same as that of the first connection interface. For example, if the first connection interface 112 is GIPO, the second connection interface 124 is also GIPO. With reference to FIG. 1D , the processing unit 121 can obtain the identification information 113 from the IC element by the first connection interface 112 and the second connection interface 124.」
（訳：
［００３０］
第２の接続インタフェース１２４の位置は、第１の接続インタフェース１１２の位置に対応して設けられる。
背面カバー１１０が、本体１２０に取り付けられると、第１の接続インタフェース１１２は、第２の接続インタフェース１２４と接触することになる
図１Ｄを参照すると、処理部１２１は、第１の接続インタフェース１１２と第２の接続インタフェース１２４によって、ＩＣ素子から識別情報１１３を取得することができる
カ　図１Ｄ
「
　　　　　　　　　　　　　　　　　　　　　　　　　　　　　　　」
（４）　周知文献Ｂの記載
　原査定において、周知技術を示す「引用文献５」として引用された、特開２００９−２７９９２０号公報（以下、「周知文献Ｂ」という。）には、以下の記載がある（下線は当審で追加。）。
ア　段落【００３３】−【００３５】
「【００３３】
  
図５に示されているように、本発明に係るコンピュータ用の前面ケース２０は、２重の樹脂層から形成されている
すなわち、前面ケース２０は、外層２１と内層２２との２重層から形成されている
外層２１と内層２２とは、その形状が実質的に同一である
　　　・・・（中略）・・・
【００３５】
  図６及び
図７は、本発明に係るノートパソコン用の上部面ケース３０
を示している
ノートパソコン５００用の上部面ケース３０もまた、外層３１と、内層３２と、
を含んでいる
イ　図５
「
　　　　　　　　　　　　　　　　　　　　　　　　　　　　　　　」
ウ　図７
「
　　　　　　　　　　　　　　　　　　　　　　　　　　　　　　　」
５　対比
　本願発明と引用発明とを対比すると以下のことがいえる。
　
（１）　引用発明の「外装カバー７０」は、本願発明の「当該装置」に対応する。
　よって、引用発明の「携帯端末本体１」は、「外装カバー７０」が「着脱自在に形成されるもの」であって、「メインＬＣＤ」と「サブＬＣＤ４０」とを備えるから、本願発明の「当該装置を装着する対象となる表示画面を備えた機器」に相当する。
　したがって、引用発明の「外装カバー７０」の「著名なキャラクタの絵が印刷され」た部分は、携帯端末本体１の外観を著名なキャラクタとするためのものであることから、本願発明の「当該装置を装着する対象となる機器の意匠を異ならせるための意匠が施される部材」に相当する。
（２）　引用発明における携帯端末本体１（本願発明の「前記機器」に相当）は、属性判定部１１１において、「装着検知部１２により出力される
端子電極８０
“Ｈｉｇｈ”“Ｌｏｗ”の組み合わせ
外装カバー７０の属性
（３）　引用発明の「外装カバー７０の属性」に「対応するメディア情報」は、本願発明の「前記所定の情報を使用して前記機器が行なう報知の出力内容」に相当する。
　また、引用発明の「著名なキャラクタの絵が印刷され」た「外装カバー７０」は、「携帯端末本体１の外観を覆う構造」であることから、引用発明の「外装カバー７０」に印刷された「著名なキャラクタの絵」は、本願発明の「装置が前記機器に装着された状態の前記機器の意匠」に相当する。
　そして、引用発明において、「例えば、著名なキャラクタに合致した待受け画像」である「対応するメディア情報」と、「外装カバー７０に印刷された著名なキャラクタ」とを、「著名なキャラクタ関連のもので統一する」ことは、本願発明の「ユーザが、該報知の出力内容及び該意匠に統一感を覚えるように、前記部材と前記所定の情報とを組み合わせて構成した」ことに相当する。
　よって、引用発明の「外装カバー７０の属性」に「対応するメディア情報」と、「著名なキャラクタの絵が印刷され」た「外装カバー７０」とを組み合わせて構成した「外装カバー７０」は、本願発明の「前記所定の情報を使用して前記機器が行なう報知の出力内容と、当該装置が前記機器に装着された状態の前記機器の意匠とを知覚したユーザが、該報知の出力内容及び該意匠に統一感を覚えるように、前記部材と前記所定の情報とを組み合わせて構成した装置」に相当する。
　よって、本願発明と引用発明との一致点・相違点は次のとおりであるといえる。
［一致点］
「当該装置を装着する対象となる表示画面を備えた機器の意匠を異ならせるための意匠が施される部材と、
　所定の情報を前記機器に対して出力する出力手段と、を備え、
　前記所定の情報を使用して前記機器が行なう報知の出力内容と、当該装置が前記機器に装着された状態の前記機器の意匠とを知覚したユーザが、該報知の出力内容及び該意匠に統一感を覚えるように、前記部材と前記所定の情報とを組み合わせて構成した装置。」
［相違点］
　「当該装置」を「前記機器」に「取り付け」する際、
本願発明では、「当該装置を装着する対象となる表示画面を備えた機器の意匠を異ならせるための意匠が施される部材は、前記意匠が施される面とは反対側の面を含む前記機器と向き合う筐体の複数の面からなる内周の形状を、前記機器の筐体の複数の面からなる外周の形状と同じ形状で僅かに大きなサイズとし、当該部材を当該機器に取り付けると、当該部材の当該機器に取り付ける面の筐体の内周と当該機器の筐体の外周が嵌合し、当該部材が振動により外れることを防止する構成とした」のに対し、
引用発明は、「この外装カバー７０を、携帯端末本体１のディスプレイ筐体２０内の周縁部に設けられたスライド溝６０に嵌め込み、矢印方向にスライドさせることで、携帯端末本体１の外観を覆う構造になっており、この外装カバー７０を逆方向にスライドさせることで着脱自在に形成されるものとし、なお、外装カバー７０は、外装カバー７０の周縁部に形成されるラッチをディスプレイ筐体２０の対向する位置に設けられた溝に
嵌め合わせることによりワンタッチで着脱自在とする
６　判断
　上記した［相違点］について検討する。
　一般に、２つの部材を嵌合する際、一方の部材の内周と、他方の部材の外周とを、ほぼ同じ形状、サイズとすることによって、両者を篏合するように構成することは、必要ならば、上記周知文献Ａ、Ｂ（上記４（３）、（４）を参照。）に記載され、図示されるように、周知技術である。
　
　また、引用文献１のような「携帯端末」に篏合部を設ける場合、「携帯」する端末であるから、その嵌合部が、携帯しているとき振動などで外れないように、形状やサイズを定めるべきことは、当業者にとって自明のことであるといえる。
　よって、引用発明において、嵌合部の構成として、一方の部材の内周と、他方の部材の外周とを、同様の形状、及び、サイズとすることで、両者を篏合するように構成する周知技術を採用して、この際、振動などで外れないように、嵌合部の形状やサイズを定めることによって、「当該装置を装着する対象となる表示画面を備えた機器の意匠を異ならせるための意匠が施される部材は、前記意匠が施される面とは反対側の面を含む前記機器と向き合う筐体の複数の面からなる内周の形状を、前記機器の筐体の複数の面からなる外周の形状と同じ形状で僅かに大きなサイズとし、当該部材を当該機器に取り付けると、当該部材の当該機器に取り付ける面の筐体の内周と当該機器の筐体の外周が嵌合し、当該部材が振動により外れることを防止する構成とした」、上記［相違点］に係る構成とする点に格別の困難性は認められない。
　さらに、本願発明の効果も、引用発明及び周知・慣用技術に基づいて、当業者が予測し得る範囲内のものである。
７　むすび
　したがって、本願発明は、引用発明、及び、周知・慣用技術に基づいて、当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。